【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
結紮クリップであって、
第１の脚部および第２の脚部であって、各脚部は近位端と遠位端とを有し、両脚部はそれらの近位端でヒンジによって結合され、各脚部は内面と外面とを有し、両脚部は、両脚部の内面が血管または管の周りに位置することができる開姿勢から、両遠位端がラッチによって結合されて前記血管または管が両脚部の前記内面の間で圧迫される閉姿勢まで、前記ヒンジの周りを枢動可能である、第１の脚部および第２の脚部と、
前記第１の脚部の前記内面から外側に突出し等間隔に配置されたリブの第１の列、および前記第１の脚部の前記内面から外側に突出し等間隔に配置されたリブの第２の列であって、前記第１の列および前記第２の列は、前記第１の脚部の前記内面の長手方向の中心に沿って互いに離隔し、前記第１の列の前記リブは、前記第２の列の前記リブに対して互い違いである、第１の列および第２の列と、を備え、
前記第１の列の少なくとも１つのリブは、前記第１の脚部の前記内面から外側に突出する尖鋭な突出部を含み、前記尖鋭な突出部は、前記第２の脚部の前記内面の前記長手方向の中心に向かって傾斜し、
前記第２の列の少なくとも１つのリブは、前記第１の脚部の前記内面から外側に突出する尖鋭な突出部を含み、前記尖鋭な突出部は、前記第２の脚部の前記内面の前記長手方向の中心に向かって傾斜し、
これにより、前記尖鋭な突出部が前記血管または管の壁を突き刺し、前記クリップが前記閉姿勢にあるときに前記クリップが前記血管または管に対して移動するのを防ぐ、結紮クリップ。
【請求項２】
請求項１に記載の結紮クリップにおいて、
前記第２の脚部の前記内面から外側に突出し等間隔に配置されたリブの第３の列と、前記第２の脚部の前記内面から外側に突出し等間隔に配置されたリブの第４の列とをさらに含み、
前記第３および第４の列は、前記第２の脚部の前記内面の長手方向の中心に沿って互いに離隔し、
前記第３の列の前記リブは、前記第４の列の前記リブに対して、また前記第１および第２の列の前記リブに対して互い違いであり、
前記第３の列の少なくとも１つのリブは、前記第２の脚部の前記内面から外側に突出しかつ前記第１の脚部の前記内面の前記長手方向の中心に向かって傾斜する、尖鋭な突出部を含み、
前記第４の列の少なくとも１つのリブは、前記第２の脚部の前記内面から外側に突出しかつ前記第１の脚部の前記内面の前記長手方向の中心に向かって傾斜する、尖鋭な突出部を含み、
それにより、両脚部の前記尖鋭な突出部が前記血管または管の前記壁を突き刺し、前記クリップが前記閉姿勢にあるときに前記クリップが前記血管または管に対して移動するのを防ぐ、結紮クリップ。
【請求項３】
前記リブのすべてが、それぞれの脚部の前記内面から外側に突出しかつ反対側の前記脚部の前記内面の前記長手方向の中心に向かって傾斜する、尖鋭な突出部を含み、
各尖鋭な突出部は、可撓性を有してその傾斜した姿勢から屈曲し、前記血管または管の前記壁を完全に貫通することを避け、それにより外傷が最小限に抑えられる、請求項２に記載の結紮クリップ。
【請求項４】
各リブは基部を含み、前記尖鋭な突出部は、前記基部から延びる先細突起と、前記先細突起の端部にある尖端とを含む、請求項３に記載の結紮クリップ。
【請求項５】
前記リブのすべてが尖鋭な突出部を含み、各リブは基部を含み、前記尖鋭な突出部は、前記基部から延びる先細突起と、前記先細突起の端部にある尖端とを含む、請求項１に記載の結紮クリップ。
【請求項６】
血管または管を結紮するためのクリップであって、
各々が近位端部および遠位端部を有する第１の脚部および第２の脚部を備え、
両近位端部がヒンジによって結合され、
前記第１の脚部と第２の脚部は各々、血管または管の周りに位置付けられるように適合され、前記第１および第２の脚部が前記ヒンジの周りを開姿勢から両遠位端部がラッチによって共に固定される閉姿勢に移動したときに前記血管または管と係合する第１の内面および第２の内面を有し、
前記第１の脚部は、前記第１の脚部の前記内面から外側に突出して前記第２の脚部の前記内面の長手方向の中心に向かって傾斜する、等間隔に配置された尖鋭な突出部の第１の列と、前記第１の脚部の前記内面から外側に突出して前記第２の脚部の前記内面の前記長手方向の中心に向かって傾斜する、等間隔に配置された尖鋭な突出部の第２の列とを有し、
これにより、前記尖鋭な突出部が前記血管または管の壁を突き刺し、前記クリップが前記閉姿勢にあるときに前記クリップが前記血管または管に対して移動するのを防ぐ、クリップ。
【請求項７】
前記第２の脚部は、前記第２の脚部の前記内面から外側に突出して前記第１の脚部の内面の前記長手方向の中心に向かって傾斜する、等間隔に配置された尖鋭な突出部の第３の列と、前記第２の脚部の前記内面から外側に突出して前記第１の脚部の内面の前記長手方向の中心に向かって傾斜する、等間隔に配置された尖鋭な突出部の第４の列とを含み、
これにより、両方の脚部の前記尖鋭な突出部が前記血管または管の前記壁を突き刺し、前記クリップが前記閉姿勢にあるときに前記クリップが前記血管または管に対して移動するのを防ぐ、請求項６に記載の血管または管を結紮するためのクリップ。
【請求項８】
前記尖鋭な突出部の列が互いに対して互い違いになっている、請求項６に記載の血管または管を結紮するためのクリップ。
【請求項９】
前記尖鋭な突出部の列が互いに対して互い違いになっている、請求項７に記載の血管または管を結紮するためのクリップ。
【請求項１０】
各脚部の前記内面から延びるリブをさらに含み、各リブは基部を含み、前記尖鋭な突出部は、前記基部から延びる先細突起と、前記先細突起の前記端部にある尖端とを含む、請求項８に記載の血管または管を結紮するためのクリップ。
【請求項１１】
前記第１の脚部の前記遠位端に隣接するボスと、前記第２の脚部の前記遠位端の一対の離隔したボスとをさらに含み、前記第１の脚部および前記第２の脚部の前記遠位端は、嵌合するラッチ構成要素を含み、前記ボスは、アプリケータ器具のジョーに係合して前記脚部を前記ヒンジの周りで開姿勢から閉姿勢に移動させる、請求項７に記載の血管または管を結紮するためのクリップ。
【請求項１２】
結紮クリップであって、
第１の脚部と第２の脚部であって、各脚部は近位端と遠位端とを有し、両脚部はそれらの近位端でヒンジによって結合され、各脚部は内面と外面とを有し、両脚部は、両脚部の内面が血管または管の周りに位置することができる開姿勢から、前記遠位端がラッチによって結合されて前記血管または管が両脚部の前記内面の間で圧迫される閉姿勢まで、前記ヒンジの周りを枢動可能である、第１の脚部および第２の脚部を備え、
前記第１の脚部の前記内面に等間隔に配置された尖鋭な突出部の第１の列、および前記第１の脚部の前記内面に等間隔に配置された尖鋭な突出部の第２の列をさらに含み、両列は、前記第１の脚部の前記内面の長手方向の中心に沿って互いに離隔し、前記第１の列の前記尖鋭な突出部は、前記第２の列の前記尖鋭な突出部に対して互い違いであり、
前記第１の列の前記尖鋭な突出部は、前記第１の脚部の前記内面から外側に突出し、前記第１の列の前記尖鋭な突出部は前記第２の脚部の前記内面の前記長手方向の中心に向かって傾斜し、
前記第２の列の前記尖鋭な突出部は、前記第１の脚部の前記内面から外側に突出し、前記第２の列の前記尖鋭な突出部は、前記第２の脚部の前記内面の前記長手方向の中心に向かって傾斜し、
これにより、前記尖鋭な突出部が前記血管または管の壁を突き刺し、前記クリップが前記閉姿勢にあるときに前記クリップと前記血管または管の間を相対的に移動するのを防ぐ、結紮クリップ。
【請求項１３】
請求項１２に記載の結紮クリップにおいて、
前記第２の脚部の前記内面に等間隔に配置された尖鋭な突出部の第３の列と、前記第２の脚部の前記内面に等間隔に配置された尖鋭な突出部の第４の列とをさらに含み、
前記第３および第４の列は、前記第２の脚部の前記内面の長手方向の中心に沿って互いに離隔し、
前記第３の列の前記尖鋭な突出部は、前記第４の列の前記尖鋭な突出部に対して、また前記第１の脚部の前記尖鋭な突出部に対して互い違いであり、
前記第３の列の前記尖鋭な突出部は前記第２の脚部の前記内面から外側に突出し、前記第３の列の前記尖鋭な突出部は、前記第１の脚部の内面の前記長手方向の中心に向かって傾斜し、
前記第４の列の前記尖鋭な突出部は前記第２の脚部の前記内面から外側に突出し、前記第４の列の前記尖鋭な突出部は、前記第１の脚部の内面の前記長手方向の中心に向かって傾斜し、
これにより、両脚部の前記尖鋭な突出部が前記血管または管の壁を突き刺し、前記クリップが前記閉姿勢にあるときに前記クリップと前記血管または管の間を相対的に移動するのを防ぐ、結紮クリップ。
【請求項１４】
各脚部の前記内面から延びるリブをさらに含み、各リブは基部を含み、前記尖鋭な突出部は、前記基部から延びる先細突起と、前記先細突起の前記端部にある尖端とを含む、請求項１３に記載の結紮クリップ。
【請求項１５】
各脚部の前記内面から延びるリブをさらに含み、各リブは基部を含み、前記尖鋭な突出部は、前記基部から延びる先細突起と、前記先細突起の前記端部にある尖端とを含む、請求項１２に記載の結紮クリップ。
【請求項１６】
前記結紮クリップがポリマーであり、ワンピース成形構造で形成されている、請求項１３に記載の結紮クリップ。
【請求項１７】
前記第１の脚部の前記内面が凹状に湾曲し、前記第２の脚部の前記内面が凸状に湾曲している、請求項１６に記載の結紮クリップ。